(57)【要約】【課題】播種ロールシャッタの隙間調整を容易に行え、調整ミスや構造上の欠陥で、種籾の損傷を防ぐことができる種籾供給装置を提供すること。【解決手段】播種落下口底面の播種ロールシャッタの播種ロール側先端部が、該播種ロールの外周形状に沿って形成されていることと、さらに、播種ロールシャッタの播種ロールシャッタ先端部を柔軟な多孔質材を介在し、該播種ロール外周に摺接する軟質樹脂プレートで構成し、該播種ロールの外周形状に追従するようにしたことで、播種ロールシャッタの隙間調整を容易に行え、調整ミスや構造上の欠陥で、種籾の損傷を防ぐことが実現される。【選択図】図３
2015080446.tif 000002
【特許請求の範囲】
【請求項１】
苗箱を苗箱移送台始端部から終端部まで移送しながら、該苗箱移送台上の適宜箇所に種籾供給装置を設け、該種籾供給装置の底部に種籾収容凹部が多数整列している播種ロールを設け、該播種ロールの中心軸より上方に設けた、該播種ロール種籾収容凹部に種籾を供給する為の種籾落下口を漏斗状に設け、該種籾落下口と該播種ロールのほぼ中央部に、種籾を供給しつつ攪拌作用もある断面形状放射状の種籾供給攪拌ロールを設け、該種籾落下口底面がスライドにて種籾溜まり部の種籾落下口開口部を増減可能なように構成された種籾供給装置において、
該種籾落下口と該播種ロールとで、種籾溜まり部を構成する際、該種籾落下口底面の播種ロールシャッタの該播種ロール側先端部が、該播種ロールの外周形状に沿って形成されている種籾供給装置。
【請求項２】
請求項１において、該種籾落下口底面の播種ロールシャッタ先端部を柔軟な多孔質材を介在し、該播種ロール外周に摺接する軟質樹脂プレートで構成し、該播種ロールの外周形状に追従するようにしたことを特徴とする種籾供給装置。
【発明の詳細な説明】
【技術分野】
【０００１】
本発明は、主に水稲の種子（種籾）を苗箱に供給して播種作業を行う、育苗用播種機に関する。
【背景技術】
【０００２】
従来、苗箱を苗箱移送台始端部から終端部まで移送しながら、該苗箱移送台上の適宜箇所に種籾供給装置を設け、該種籾供給装置の底部には、種籾収容凹部が多数整列している播種ロールを設け、該播種ロールの中心軸より上方に設けた、該播種ロール種籾収容凹部に種籾を供給する為の種籾落下口を漏斗状に設け、該種籾落下口と該播種ロールのほぼ中央部に、種籾を供給しつつ攪拌作用もある断面形状放射状の種籾供給攪拌ロールを設けた種籾供給装置は公知である。（特許文献１参照）
【０００３】
また、前述の種籾落下口底面がスライドにて種籾溜まり部の種籾落下口開口部を、増減可能なように構成された種籾供給装置も公知である。（特許文献２参照）
【０００４】
さらに現在は、前述の種籾供給攪拌ロールを設け、さらに種籾落下口底面がスライドにて種籾溜まり部の種籾落下口開口部を、増減可能なように構成された種籾供給装置が多く使用されている。
【先行技術文献】
【特許文献】
【０００５】
【特許文献１】実用新案登録第２５８４７８３号公報
【特許文献２】特許第４６６２８３６号公報
【発明の概要】
【発明が解決しようとする課題】
【０００６】
特許文献１および特許文献２の技術を組み合わせた種籾供給装置は、播種ロールと種籾落下口底面（播種ロールシャッタ）が構成している種籾溜まり部および種籾落下口に対して、種籾供給攪拌ロールが、該播種ロールの種籾収容凹部へ確実に種籾を収容する為、該種籾落下口に種籾を押し込むような働きをしているので、該播種ロールと播種ロールシャッタ先端部にある、種籾落下口開口部の僅かな隙間に種籾が押し込まれ、損傷するという問題がある。
【０００７】
また、前述の播種ロールと播種ロールシャッタ先端部にある種籾落下口開口部の僅かな隙間は、特許文献２に記載のような、該播種ロールシャッタ先端部がＬ字形状の場合、該播種ロールの外周形状は円なので、たとえば該播種ロールシャッタ先端部を該播種ロール外周に摺接させて隙間を０ｍｍにしても、播種ロールに設けられた種籾収容凹部をすべて覆い隠すことはできず、該種籾収容凹部をくぐり抜けて、次々に押し込まれてきた種籾が、該播種ロールシャッタＬ字形状の先端部に引っかかり、損傷してしまう問題がある。
【０００８】
もちろん、特許文献１に記載の物では、播種ロールシャッタ先端部は、該播種ロールシャッタの材厚分しかないので、該播種ロールシャッタ先端部で種籾が損傷してしまう確率は当然上昇する問題がある。
【０００９】
また、播種ロールと播種ロールシャッタ先端部の種籾落下口開口部の隙間は０．１ｍｍ位が理想だが、播種ロールの真円度や播種ロールシャッタの加工精度、さらに作業者の熟練度等に左右されやすく、隙間が小さい場合は播種ロールと播種ロールシャッタ先端部との摺接で摩擦が起き、該播種ロールの回転ムラが発生し、播種精度の低下という問題がある。
【００１０】
さらに、隙間が大きい場合は前述したように、播種ロールと播種ロールシャッタ先端部の種籾落下口開口部の隙間に種籾が押し込まれて損傷する確率が上昇してしまうという問題がある。
【００１１】
また、播種ロールと播種ロールシャッタ先端部の種籾落下口開口部の隙間が、左右一定（平行）ではない場合も均一に播種できないという問題が発生する。
【００１２】
本発明は、このような問題点を考慮してなされたもので、種籾を損傷する事もなく、作業者の熟練度にも左右されずに高精度な播種ができる種籾供給装置を提供することを課題とする。
【課題を解決するための手段】
【００１３】
前述の課題を解決するため、本発明に係る種籾供給装置は、特許請求の各請求項に記載の手段を採用する。
【００１４】
即ち、請求項１では、種籾落下口底面（播種ロールシャッタ）と播種ロールとで、種籾溜まり部を構成する際、播種落下口底面の播種ロールシャッタの播種ロール側先端部が、該播種ロールの外周形状に沿って形成されていることを特徴とする。
【００１５】
また、請求項２では、種籾落下口底面（播種ロールシャッタ）の播種ロールシャッタ先端部を柔軟な多孔質材を介在し、該播種ロール外周に摺接する軟質樹脂プレートで構成し、該播種ロールの外周形状に追従するようにしたことを特徴とする。
【発明の効果】
【００１６】
本発明に係る種籾供給装置の播種ロールシャッタは、播種ロール種籾収容凹部に種籾を供給する際に、種籾落下口開口部の隙間で損傷してしまう種籾が無くなるので、発芽率を高める効果がある。
【００１７】
さらに、請求項２として、種籾落下口底面の播種ロールシャッタ先端部を柔軟な多孔質材を介在し、該播種ロール外周に摺接する軟質樹脂プレートで構成し、該播種ロールの外周形状に追従するようにしたことで、作業者が種籾落下口開口部の隙間調整をする際も、柔軟な多孔質材料が伸縮する為に、種籾落下口開口部の隙間を規制する必要がなく、従来のような厳密な隙間調整を強いる事もなく、容易に種籾落下口開口部での種籾の損傷を防止することができる効果がある。
【００１８】
さらに、種籾落下口開口部の隙間調整で、作業者の調整ミスによる播種ロールの回転ムラの発生を防止することができ、調整作業の容易化と共に、播種精度の向上という効果がある。
【００１９】
また、播種ロールの真円度や、特に播種ロールシャッタ先端部の加工精度で、前述の種籾落下口開口部の隙間調整は種籾供給装置が停止状態で調整作業するため、該播種ロールの真円度が悪ければ、種籾落下口開口部の隙間は常に安定しないことになり、播種精度ももちろん安定しない。しかしながら、本発明を利用すればそれら加工精度を補うことが可能となり、コストダウンにも有効であるという効果がある。
【図面の簡単な説明】
【００２０】
【図１】本発明に係る播種装置全体側面図。
【図２】播種装置の一部斜視図。
【図３】種籾供給装置一部断面側面図。
【図４】図３の構成部品の回転方向を示す一部断面側面図。
【図５】図３の要部拡大側面図。
【図６】播種ロール斜視図。
【図７】図６の播種ロールと播種ロールシャッタの位置関係を示す斜視図。
【図８】苗箱斜視図。
【図９】図８の苗箱に土を入れ種籾を播種した斜視図。
【図１０】本発明の他第二実施例を示す要部拡大側面図。
【図１１】本発明の他第三実施例を示す要部拡大側面図。
【図１２】従来例を示す一部断面側面図。
【発明を実施するための形態】
【００２１】
以下、本発明に係る種籾供給装置の播種ロールシャッタを実施する為の最良の形態を図面に基づいて説明する。
【００２２】
図１は、播種装置１全体を示しており、床面に水平な苗箱移送台２上の適宜箇所に、図１の左端を始端側とし、始端側から土４３を敷き詰めた苗箱４０を移送し、主に水稲の種子（種籾）を播種ロール１１で供給播種する種籾供給装置４があり、その次には、播種された苗箱４０に潅水する潅水装置５があり、また次には潅水された苗箱４０へ種籾を覆い隠す土４３を供給する覆土供給装置３がある。
【００２３】
またその次に、覆土された苗箱４０の土４３を均すための土均平装置６があり、土均平装置６で均せない苗箱４０の進行方向に対して前後方向の縁部の土４３を均すための苗箱前後壁土隅取均平装置７がある。
【００２４】
また、苗箱４０が移送される終端部には、播種作業が終わり移送されてきた苗箱４０を感知して、苗箱移送台２からの苗箱４０の落下を防ぐため、播種装置１全体の運転を止めるための苗箱感知装置８がある。
【００２５】
また、本願では特に示していないが、苗箱４０に土４３を敷き詰める装置が、苗箱移送台２上の種籾供給装置４よりも、苗箱４０移送上流側に具備している播種装置もある。
【００２６】
図２には、苗箱４０移送始端側となり、苗箱移送台２に設けられた、苗箱４０を移送するための搬送ベルト３２があり、搬送ベルト３２上を移送された苗箱４０は、さらに苗箱移送台２に設けられた搬送ローラ３１上を移送されていく。移送されている苗箱４０の、移送方向に対して直交した左右の振れを抑えるために苗箱ガイド３３を苗箱移送台２左右に設けてある。
【００２７】
移送される苗箱４０は、種籾供給装置４の下部で搬送ローラ３１上を移送されていく。種籾供給装置４の上部には、種籾を収容しておくための種籾収容ホッパ２２がある。また、種籾供給装置４には、播種装置１の運転制御をおこなうための播種装置制御盤９が設けてあり、該播種装置制御盤９には、種籾供給装置４のモータの速度可変を設定する速度可変ボリューム１０と、播種装置１全体、または種籾供給装置４および潅水装置５を制御するためのスイッチ２９がある。
【００２８】
図３は、種籾供給装置４の一部断面側面を示しており、播種ロール１１は苗箱４０移送上流側寄りの下部にあり、播種ロール１１上部には、種籾を収容しておく種籾収容ホッパ２２があり、その底面は漏斗状になっており、その漏斗状の下部には種籾落下口３０を設けてある、その底面二面の内、苗箱４０移送方向上流側の底面は固定され、もう一面下流側の底面の下方に、一部重なり合うように構成され、種籾落下口３０の下方に、種籾溜まり部３０ａを構成しており、またその底面に沿うように斜め上方に向けてスライド可能に形成した播種ロールシャッタ１９を、播種ロールシャッタガイドプレート２０に下方をガイドさせ、播種ロールシャッタ固定ノブナット２１で固定してある。該播種ロールシャッタ１９の先端部には、播種ロール１１の外周形状に沿うような形状に加工された、播種ロールシャッタ先端部１９´が設けてあり、この播種ロール先端部１９´は、播種ロール１１に種籾収容のために設けられた種籾収容凹部１１´の凹部を、最低一個以上覆い隠すような大きさに構成してある。この図では、種籾収容凹部１１´の凹部を播種ロール１１の回転方向に四個ほど覆い隠してあるが、もちろん他の部品に干渉しなければ、四個以上を覆い隠す形状でもよい。
【００２９】
また、播種ロールシャッタ１９と、播種ロール１１で構成されている種籾溜まり部３０ａの下方には、播種ロールシャッタ先端部１９´と播種ロール１１外縁部の隙間として、種籾落下口開口部３０ｂがある。この種籾落下口開口部３０ｂの適正隙間寸法としては、前述のように０．１ｍｍ位である。
【００３０】
また、播種ロールシャッタ１９を播種ロールシャッタ固定ノブナット２１を緩め、斜め上方に向けてスライドさせると、該種籾落下口開口部３０ｂの開口寸法が大きくなり、種籾溜まり部３０ａおよび、種籾収容ホッパ２２にあった種籾を下方に排出させることができる。これは、不必要になったり、品種交換時の種籾を簡単に排出させる機能であり、現在の種籾供給装置４には必須の機能といえる。
【００３１】
前述の播種ロール１１には播種ロール軸１２が、左右方向（横軸）に設けてあり（図６参照）、該播種ロール１１の外周面には、母線方向に直角な縦溝楕円形状の種籾収容凹部１１´を所望の間隔をおいて多数整列状に形成されており、該種籾収容凹部１１´の縦溝楕円形状としては、縦方向は一粒の種籾４２の全長より若干長い位で、横幅は一粒の種籾４２の横幅の約二倍ほどとなっている。さらに、種籾収容凹部１１´の縦方向において、中心部に種籾収容凹部１１´を貫き、各種籾収容凹部１１´を連鎖させたスリットを全周に設けてある。このスリットの深さは、種籾収容凹部１１´よりも若干深く形成され、各スリットには種籾スクレーパ１６を嵌合し、種籾収容凹部１１´に収容された種籾４２を、確実に種籾収容凹部１１´から離脱させることを目的としている。
【００３２】
種籾収容ホッパ２２にある種籾４２は種籾落下口３０から、断面形状放射状で柔軟性のある材料、本実施例ではゴム材で構成された種籾供給攪拌ロール１８は、図４に示す通り、播種ロール１１とは逆方向に回転（種籾供給攪拌ロール回転方向Ｂ）している、種籾落下口３０から送られてきた種籾４２は、種籾溜まり部３０ａから種籾収容凹部１１´へ直接供給されるが、すべての種籾４２が種籾収容凹部１１´形状の向きで供給されないため、これを攪拌および供給の促進に種籾供給攪拌ロール１８の回転運動で、種籾収容凹部１１´に確実に種籾４２を収納させる。
【００３３】
また、図４に示す通り、播種ロール１１の回転は、前述の種籾供給攪拌ロール１８と逆方向の回転（播種ロールの回転方向Ａ）であり、種籾収容凹部１１´に収容された種籾４２は、該播種ロール１１の上方へ移送されていく、その際、種籾収容凹部１１´には種籾収容凹部１１´形状以上の種籾４２が重なって入る場合があり、種籾収容凹部１１´その余分な種籾４２を取り除くため、播種ロール１１と同じ回転方向（種籾ブラシ回転方向Ｃ）の、種籾ブラシ１７を具備している。
【００３４】
その後、種籾収容凹部１１´に適宜収容された種籾４２は、播種ロール１１の回転により、該播種ロール１１の苗箱４０移送上流側面に播種ロールガイドプレート１３を備え、該播種ロールガイドプレート１３は、柔軟な多孔質材１４を介在し、該播種ロール１１外周に摺接する軟質樹脂プレート１５で構成されており、種籾収容凹部１１´に収容された種籾４２を、該播種ロール１１外周形状に追従しながら、上方位置から下方位置まで、誘導搬送するためのものある。
【００３５】
種籾収容凹部１１´に収容され、誘導搬送された種籾４２は、播種ロールガイドプレート１３の下方端から、
土４３を敷き詰められた、図４、苗箱搬送方向Ｄに示す方向へ搬送されてゆく苗箱４０に、落下播種される。
【００３６】
種籾４２を落下播種された苗箱４０は、前述のように、その後、潅水装置５にて潅水され、覆土供給装置３にて覆土をされ、覆土を均す、土均平装置６を通り、苗箱前後壁土隅取均平装置７で苗箱４０の前後方向の縁部の土４３を均される。
【００３７】
その他として、種籾供給装置４には、播種ロール１１、種籾ブラシ１７、種籾供給攪拌ロール１８を駆動するために、モータがあり、そのモータを装置に固定する播種モータ止めボルト２５があり、モータ上部にはモータカバー２３がある。モータには播種モータ軸２４が出ており、モータスプロケット２６が嵌合されていて、チェン２７、スプロケット２８等を介して各部品を駆動している。
【００３８】
次に、図７は播種ロール１１と播種ロールシャッタ１９の位置関係を明確にするための斜視図であり、前述した、播種ロールシャッタガイドプレート２０と、播種ロールシャッタ１９の干渉部分は、播種ロール軸１２と平行な左右下部にそれぞれ切欠き３７があり、播種ロールシャッタ１９をスライドさせた場合に干渉しない構造になっており、もちろん播種ロール１１の種籾収容凹部１１´を覆い隠す際にも不具合がでない切欠きなのはもちろんである。
【００３９】
図８について、苗箱４０は主に合成樹脂、プラスチックで作られており、その底部には複数の水抜穴４１が空いており、この水抜穴４１が多数設けてある。また、図９では、苗箱４０に土４３上に種籾４２が播種された状態を示している。この状態の後に、覆土供給装置３にて、覆土される。
【００４０】
図１０では、本発明の他第二実施例を示しており、播種ロールシャッタ先端部１９´に、柔軟な多孔質材３４を、播種ロール１１外周に摺接する軟質樹脂プレート３５を貼りつけてある。尚、該軟質樹脂プレート３５の形状は、播種ロール１１の回転方向に対して、対向する軟質樹脂プレート３５の先端部は、播種ロール１１外周部に引っかからないように加工してあり、本発明では図１０のように、播種ロール１１外周面に対して垂直に立ち上げた形状にしている。もちろんこの形状は、カール状にしたり、もう少し緩い折り曲げ角度でも良い。
【００４１】
さらに図１１では、本発明の他第三実施例を示しており、播種ロールシャッタ１９の下方をガイドしている、播種ロールシャッタガイドプレート２０のガイドプレート端部２０ａから、播種ロールシャッタ先端部１９´にかけて、緩やかな山型のカーブを描いて加工してあり、種籾溜まり部３０ａの空間を大きくし、種籾供給攪拌ロール１８の攪拌を助け、なおかつ種籾４２が種籾収納凹部１１´に流れやすくしている。
【００４２】
次に、図１２の従来例について説明する。播種ロールシャッタ３６の先端部分、播種ロールシャッタ先端部３６´は播種ロール１１外周部に対して、離れるようにＬ字形状（９０°曲げ）に構成されている。また、播種ロールシャッタ先端部３６´の大きさは、前述のように播種ロール１１外周部に引っかからないように最低限の大きさにはなっている。
【産業上の利用可能性】
【００４３】
本発明によれば、播種ロール種籾収容凹部に種籾を供給する際に、播種ロールと播種ロールシャッタの種籾落下口開口部での種籾の破砕や損傷を防ぎ、発芽率を高めることができる。
【００４４】
さらに、播種ロールと播種ロールシャッタの、従来のような厳密な隙間調整を強いる事もなく、簡単に種籾落下口開口部での種籾の損傷を防止することができる。
【００４５】
またさらに、種籾落下口開口部の隙間調整で、作業者の調整ミスによる播種ロールの回転ムラの発生を防止することができるので、播種精度が向上できる。
【００４６】
また、播種ロールの真円度や、特に播種ロールシャッタ先端部の加工精度は、本発明を利用すればそれら加工精度を補うことが可能となり、コストダウンにも有効である。
【符号の説明】
【００４７】
１      播種装置
２      苗箱移送台
３      覆土供給装置
４      種籾供給装置
５      潅水装置
６      土均平装置
７      苗箱前後壁土隅取均平装置
８      苗箱感知装置
９      播種装置制御盤
１０      速度可変ボリューム
１１      播種ロール
１１´    種籾収容凹部
１２      播種ロール軸
１３      播種ロールガイドプレート
１４      多孔質材
１５      軟質樹脂プレート
１６      種籾スクレーパ
１７      種籾ブラシ
１８      種籾供給攪拌ロール
１９      播種ロールシャッタ
１９´    播種ロールシャッタ先端部
２０      播種ロールシャッタガイドプレート
２０ａ    ガイドプレート端部
２１      播種ロールシャッタ固定ノブナット
２２      種籾収納ホッパ
２３      モータカバー
２４      播種モータ軸
２５      播種モータ止めボルト
２６      モータスプロケット
２７      チェン
２８      スプロケット
２９      スイッチ
３０      種籾落下口
３０ａ    種籾溜まり部
３０ｂ    種籾落下口開口部
３１      搬送ローラ
３２      搬送ベルト
３３      苗箱ガイド
３４      多孔質材
３５      軟質樹脂プレート
３６      播種ロールシャッタ
３６´    播種ロールシャッタ先端部
３７      切欠き
４０      苗箱
４１      水抜穴
４２      種籾
４３      土
Ａ        播種ロールの回転方向
Ｂ        種籾供給攪拌ロール回転方向
Ｃ        種籾ブラシ回転方向
Ｄ        苗箱搬送方向
【図１】
2015080446.tif 000003
【図２】
2015080446.tif 000004
【図３】
2015080446.tif 000005
【図４】
2015080446.tif 000006
【図５】
2015080446.tif 000007
【図６】
2015080446.tif 000008
【図７】
2015080446.tif 000009
【図８】
2015080446.tif 000010
【図９】
2015080446.tif 000011
【図１０】
2015080446.tif 000012
【図１１】
2015080446.tif 000013
【図１２】
2015080446.tif 000014